(57)【特許請求の範囲】
【請求項１】
超音波が作用せしめられる被施術者の頭部を載置するに充分な広さを備えた、剛性を有するヘッドレスト部と、該ヘッドレスト部の両側にそれぞれ位置せしめられて、洗髪台のシャンプーボールにそれぞれ取り付けられる取付部と、該ヘッドレスト部とその両側に位置する該取付部とをそれぞれ連結する連結部とを、一枚の金属板にて形成し、更に該連結部の幅が該取付部や該ヘッドレスト部の幅よりも狭くなるように、それらヘッドレスト部、連結部及び取付部の側部を曲線的に接続して、該連結部において括れた形状とすることにより、該ヘッドレスト部と該両側の取付部との間にそれぞれ間隙が形成されるように構成し、そして該ヘッドレスト部の両側に位置する取付部を、前記洗髪台のシャンプーボールの対向する縁部を橋絡するように、該洗髪台のシャンプーボールの周縁部に載置して取り付けた状態下において、該ヘッドレスト部と該対向する縁部間に位置するシャンプーボール縁部との間に、前記間隙に連続する空隙が形成されるように構成すると共に、該ヘッドレスト部の下面に取り付けられて、該ヘッドレスト部に対して超音波振動を発振する超音波発振手段を設けて、該ヘッドレスト部に当接せしめられた被施術者の頭部に対して、前記超音波発振手段からの超音波振動が伝達されるように構成したことを特徴とする洗髪台用ヘッドレスト。
【発明の詳細な説明】
【技術分野】
【０００１】
本発明は、洗髪台用ヘッドレストに係り、特に、被施術者の頭部に対して超音波を有利に作用せしめることができるようにした洗髪台用ヘッドレストに関するものである。
【背景技術】
【０００２】
よく知られているように、超音波は、周波数が２０ｋＨｚ以上のもので、人間の可聴範囲を超える高い周波数の音波である。この超音波は、従来より、様々な分野で利用されてきており、よく知られているところでは、超音波診断装置や超音波探傷機（非破壊検査装置）、水中通信装置（ソナー）、魚群探知機（測深機）、超音波洗浄器、超音波溶接機等に用いられている。また、近年においては、超音波の動力的エネルギー作用を利用して、人体の患部を温める超音波治療器や、パルス状の超音波による機械的刺激を骨折部位に与えて、難治性骨折における骨癒合を促進せしめる超音波骨折治療器等も、用いられるようになってきており、医療分野においても、超音波が広く利用されてきている。
【０００３】
さらに、超音波は、美容（発毛）の分野においても利用されてきており、例えば、特許文献１においては、養毛剤を用いた養毛方法が提案され、養毛を行う際に、超音波を発振するプローブを用いて頭皮をマッサージすることによって、細胞の温度が上がって血行が良くなったり、超音波の温熱作用によって細胞の新陳代謝が活発にされて、脂肪や老廃物等が燃焼され易い状態になると共に、頭皮の表面や毛根等に付着した余分な皮脂や汚れ等を小さくして、毛根等から除去し易くすることができ、脱毛を防止することができること等が、明らかにされている。また、特許文献２には、超音波発生機構を有する薬剤散布装置が提案されており、そこにおいても、超音波で肌を振動させてマッサージすることによって、肌の血流が良好に活性化せしめられることが明らかにされている。このように、頭部に対して超音波を作用せしめることにより、血液やリンパの流れが促進されて、頭皮の血行や新陳代謝等が改善され得て、細胞内の老廃物等が取り除かれ、以て脱毛防止や発毛促進等、優れた効果が享受され得ることとなる。
【０００４】
しかしながら、上記特許文献１や２においては、何れも、手で把持して動かすタイプの超音波プローブが用いられているところから、手で超音波プローブを把持しつつ、動かして、頭部全体にプローブの先端面を接触乃至は押圧せしめる必要があり、このため、超音波を頭部に作用せしめる作業が非常に面倒であると共に、プローブを把持する手や腕が疲れるといった欠点を内在するものであった。特に、超音波による洗浄効果を有利に得るべく、洗髪と同時に、超音波を頭部に作用せしめようとすると、一方の手で超音波プローブを把持して頭皮を押圧しながら、他方の手で、シャンプーやすすぎ等を施さなければならず、作業が煩雑となって、どちらの作業も不十分なものとなってしまうおそれがあったのであり、両作業を十分に実施するには、何れかの作業を行った後、他の作業を順次に行うしかなかったのである。
【０００５】
一方、美容院等で洗髪を行うに際しては、一般に、洗髪が施される被洗髪者２は、図７に示されるように、リクライニングシート４に仰臥して、顔を上に向けた状態で、洗髪台のシャンプーボール６内に頭を配置する。このとき、被洗髪者２は、仰向けになった楽な姿勢で洗髪を受けることができるものの、被洗髪者の頭部は、通常、シャンプーボール４の手前側の周壁部８に、首を載せることによって支えられるため、洗髪時に、首に大きな負荷乃至は負担が掛かり、場合によっては、被洗髪者２が気分を害したり、首に痛みを感じるおそれがあった。
【０００６】
【特許文献１】特開２００４−１１５４６５号公報
【特許文献２】特開平９−１７３９２６号公報
【発明の開示】
【発明が解決しようとする課題】
【０００７】
ここにおいて、本発明は、かかる事情を背景にして為されたものであって、その解決すべき課題とするところは、超音波が作用せしめられる被施術者の首に負担をかけることなく、かかる被施術者の頭部に対して超音波を有効に作用せしめることができ、且つ作業性も良好な洗髪台用ヘッドレストを提供することにある。
【課題を解決するための手段】
【０００８】
そして、かかる課題の解決のために、本発明の要旨とするところは、超音波が作用せしめられる被施術者の頭部を載置するに充分な広さを備えた、剛性を有するヘッドレスト部と、該ヘッドレスト部の両側にそれぞれ位置せしめられて、洗髪台のシャンプーボールにそれぞれ取り付けられる取付部と、該ヘッドレスト部とその両側に位置する該取付部とをそれぞれ連結する連結部とを、一枚の金属板にて形成し、更に該連結部の幅が該取付部や該ヘッドレスト部の幅よりも狭くなるように、それらヘッドレスト部、連結部及び取付部の側部を曲線的に接続して、該連結部において括れた形状とすることにより、該ヘッドレスト部と該両側の取付部との間にそれぞれ間隙が形成されるように構成し、そして該ヘッドレスト部の両側に位置する取付部を、前記洗髪台のシャンプーボールの対向する縁部を橋絡するように、該洗髪台のシャンプーボールの周縁部に載置して取り付けた状態下において、該ヘッドレスト部と該対向する縁部間に位置するシャンプーボール縁部との間に、前記間隙に連続する空隙が形成されるように構成すると共に、該ヘッドレスト部の下面に取り付けられて、該ヘッドレスト部に対して超音波振動を発振する超音波発振手段を設けて、該ヘッドレスト部に当接せしめられた被施術者の頭部に対して、前記超音波発振手段からの超音波振動が伝達されるように構成したことを特徴とする洗髪台用ヘッドレストにある。
【発明の効果】
【００１２】
このように、本発明に従う洗髪台用ヘッドレストにあっては、超音波が作用せしめられる被施術者が、頭部を金属製のヘッドレスト部に載せるだけで、ヘッドレスト部に当接せしめられた被施術者の頭部に対して、超音波発振手段からの超音波振動が伝達されるようになっているのであり、また、かかるヘッドレスト部上で、頭を左右に動かして、その接触部を変えることによって、被施術者の頭部の略全体の部位に、超音波振動が伝達されるようになっているのである。
【００１３】
このため、従来のように、超音波プローブを片手で把持して、頭部全体に亘ってプローブの先端面を接触せしめる手間が省かれ得るのであり、これにより、極めて良好な作業性をもって、被施術者の頭部に対して超音波振動を伝達せしめて、超音波振動によるマッサージ効果や洗浄効果等の優れた効果を得ることが可能となっているのである。つまり、本発明によれば、被施術者の頭部をヘッドレスト部に載せるだけで、血液やリンパの流れが促進されて、頭皮の血行や新陳代謝等が改善され得ると共に、被施術者の頭部に超音波振動を伝達せしめながら、同時に、両手を使って、シャンプーやすすぎ等の洗髪を十分に施すことも可能となり、毛穴につまった皮脂汚れや頭皮の表面に付着した皮脂汚れ等を、作用せしめられる超音波による洗浄効果と手指による洗髪で、極めて効果的に取り除くことができるのである。
【００１４】
しかも、本発明に従う洗髪台用ヘッドレストを使用すれば、被施術者の頭部がヘッドレスト部に載置されるところから、頭部の重みが、首ではなく、頭部で支えられることとなって、首に大きな負荷乃至は負担をかけるようなことが有利に回避され得て、頸椎の安全性が確保されると共に、より一層リラックスした状態で、洗髪台のシャンプーボールに頭部を位置せしめることができることとなった他、洗髪台を利用するものであるところから、頭髪を濡らした状態で超音波を作用せしめることができることとなり、これによって、超音波振動の伝達をより一層有効に行い得るのである。
【発明を実施するための最良の形態】
【００１５】
以下、本発明を更に具体的に明らかにするために、本発明の実施の形態について、図面を参照しつつ、詳細に説明することとする。
【００１６】
先ず、図１には、本発明に従う洗髪台用ヘッドレストの一実施形態を示す平面図が、概略的に示されている。そこにおいて、洗髪台用ヘッドレスト１０は、ステンレスやアルミニウム合金等の材質からなる金属板にて形成された金属プレート１２と、かかる金属プレート１２の裏面側に設置された、超音波振動を発振する超音波発振手段である超音波発振装置１４とを有して、構成されている。
【００１７】
より具体的には、本実施形態の洗髪台用ヘッドレスト１０を構成する金属プレート１２は、０．５〜５ｍｍ程度の厚さの平坦な金属板が、所定の形状に切断加工せしめられることによって形成されており、その中央部が、被施術者の頭部を載置するためのヘッドレスト部１６とされて、その上面側に、被施術者の頭部が載せられるようになっている。そして、かかるヘッドレスト部１６は、略長円形状乃至は略楕円形状を呈し、被施術者の頭部を載置するに充分な広さ、具体的には、人間の掌の大きさと同程度か、それ以上の面積を有して、構成されている。
【００１８】
また、金属プレート１２の両側の端部は、洗髪台のシャンプーボール１８に取り付けられる取付部２０ａ，２０ｂとされている。そして、図２〜図４に示されるように、かかる取付部２０ａ，２０ｂを、洗髪台のシャンプーボール１８の手前側（図２中、下方側）の対向する縁部（図２中、周縁部のうち、左側部分と右側部分）に載置して、設置することによって、洗髪台用ヘッドレスト１０が、取付部２０ａ，２０ｂにおいて、シャンプーボール１８に取り付けられ、シャンプーボール１８の周壁部で支持されるようになっている。換言すれば、取付部２０ａ，２０ｂを、洗髪台のシャンプーボール１８に対して設置することによって、シャンプーボール１８の対向する両側（図２中、左右側）の縁部が、金属プレート１２にて橋絡されるようになっている。
【００１９】
そして、図２からも明らかなように、かかる取付部２０ａ，２０ｂは、洗髪台のシャンプーボール１８の周縁部の形状に対応した曲線状乃至は円弧状とされ、その大きさは、洗髪台用ヘッドレスト１０をシャンプーボール１８の周縁部に安定的に取り付けることができる大きさとされている。また、取付部２０ａ，２０ｂの外周部には、それぞれ、段付部２２ａ，２２ｂが形成されており、それら段付部２２ａ，２２ｂが、洗髪台のシャンプーボール１８の最外部に一体的に形成された平面形態が略Ｕ字状の突出部２４の先端部と内側面にそれぞれ当接することによって、洗髪台用ヘッドレスト１０（金属プレート１２）が、それ以上、洗髪台のシャンプーボール１８の奥側（図２中、上方側）及び側方（図２中、左右方向）に自由に移動し得ないようになっている。つまり、かかる段付部２２ａ，２２ｂが係止部とされ、シャンプーボール１８上における洗髪台用ヘッドレスト１０の自由な移動乃至はズレが有利に阻止され得るようになっている。このため、被施術者が頭部をヘッドレスト部１６上に載せる際や、頭部をヘッドレスト部１６上で動かした際に、被施術者が洗髪台用ヘッドレスト１０を奥側や側方に押してしまったとしても、洗髪台用ヘッドレスト１０の奥側や側方への動きが効果的に阻止され得て、洗髪台用ヘッドレスト１０が洗髪台のシャンプーボール１８からずり落ちてしまったり、被施術者の頭部がヘッドレスト部１６から外れてしまうようなことが効果的に防止され得るようになっているのである。
【００２０】
さらに、金属プレート１２の中央に位置するヘッドレスト部１６と、両端部に位置する取付部２０ａ，２０ｂとは、連結部２６ａ，２６ｂにて、全体的に直線的に又は曲線的に繋がれており、特に、本実施形態においては、かかる連結部２６ａ，２６ｂの幅が、取付部２０ａ，２０ｂやヘッドレスト部１６よりも狭いものとされている。このため、金属プレート１２は、連結部２６ａ，２６ｂにおいて、括れた形状となっており、以て、金属プレート１２の軽量化が図られていると共に、ヘッドレスト部１６と取付部２０ａ，２０ｂとの間に、間隙２８ａ，２８ｂが形成されて、それらの間隙２８ａ，２８ｂより、被施術者の頭部から流下する水がシャンプーボール１８内に流れ落ちるようになっている。
【００２１】
加えて、図２に示されるように、本実施形態の洗髪台用ヘッドレスト１０においては、洗髪台のシャンプーボール１８に取り付けた状態下において、ヘッドレスト部１６と、シャンプーボール１８の手前側の縁部（取付部２０ａ，２０ｂが取り付けられたシャンプーボール１８の対向する縁部の間に位置する縁部）３０との間に、上記間隙２８ａ，２８ｂに連続する空隙３２が形成されるように構成されている。このため、被施術者の頭部をヘッドレスト部１６に載せた状態で水や湯をかけて頭髪を濡らした場合でも、水乃至は湯が、上記の間隙２８ａ，２８ｂと共に、かかる空隙３２からも流れ落ちるようになっており、これにより、濡髪時に、水乃至は湯が、シャンプーボール１８の外に漏れ出るようなことが有利に防止され得るようになっている。
【００２２】
そして、上述せる如き金属プレート１２には、その中央のヘッドレスト部１６の裏側乃至は下面側に、超音波発振装置１４が、一体的に取り付けられているのである。ここで、超音波発振装置１４としては、公知の基本的構造の超音波発振装置を用いることができ、本実施形態の超音波発振装置１４にあっても、図示はしないものの、防水性の筺体内に、駆動電源としての電池や、圧電素子等からなる超音波振動子、超音波振動子を振動せしめる超音波発振器等が収容されている。そして、筐体の外壁部に設けられたスイッチ（図示せず）をＯＮ側に操作することによって、超音波発振装置１４から所定の超音波振動が金属プレート１２に対して発振せしめられる一方、スイッチをＯＦＦ側に操作することによって、超音波振動が停止せしめられるようになっている。
【００２３】
このように、本実施形態においては、超音波振動が、超音波を減衰せしめ易いゴム等の材質ではなく、剛性を有する部材、特にステンレスやアルミニウム合金等の伝播速度が比較的に大きな金属材質からなる一枚の金属プレート１２に対して発振されているところから、超音波発振装置１４から発振された超音波振動が、被施術者の頭部が載せられるヘッドレスト部１６に対して、極めて良好に伝播されるようになっているのである。
【００２４】
また、ここにおいて、上記超音波発振装置１４から発振せしめられる超音波の周波数としては、超音波の周波数が低い程、そのエネルギーが大きく、人体に悪影響が及ぼすおそれがあるところから、人体への影響等を考慮して、一般に、１〜３ＭＨｚ程度、好ましくは１．６ＭＨｚ程度とされることが望ましく、このような周波数の超音波を被施術者の頭部に作用せしめることによって、優れた安全性を確保しつつ、超音波による各種の優れた効果を享受し得ることができるのである。
【００２５】
ところで、上述せる如き本実施形態に係る洗髪台用ヘッドレスト１０を使用して、超音波による効果を得るには、先ず、図２〜図４に示されるように、洗髪台用ヘッドレスト１０を、洗髪台のシャンプーボール１８に取り付ける。より具体的には、洗髪台のシャンプーボール１８の対向する左右の縁部を橋絡するように、且つ、超音波発振装置１４が取り付けられた面が下方となるように、金属プレート１２の取付部２０ａ，２０ｂを、シャンプーボール１８の手前側寄りに設置すると共に、取付部２０ａ，２０ｂに形成された段付部２２ａ，２２ｂを、シャンプーボール１８の突出部２４の側端部にそれぞれ当接せしめる。これにより、洗髪台用ヘッドレスト１０が、洗髪台のシャンプーボール１８から、ずり落ちないように取り付けられる。
【００２６】
次いで、従来の美容院等での洗髪と同様に、被施術者３４がリクライニングシート３６に座り、リクライニングシート３６の背もたれを略水平に近い状態まで後ろに倒すことで、被施術者３４の頭部３８が、洗髪台のシャンプーボール１８の上方に位置せしめられて、洗髪台のシャンプーボール１８に取り付けられた洗髪台用ヘッドレスト１０のヘッドレスト部１６上に載置される。
【００２７】
そして、被施術者３４の頭部３８が洗髪台用ヘッドレスト１０のヘッドレスト部１６に当接した状態で、超音波発振装置１４を作動せしめることにより、超音波発振装置１４で発振された超音波振動が、ヘッドレスト部１６を介して、被施術者３４の頭部３８に有利に伝達されるようになっているのである。
【００２８】
このようにして、被施術者３４の頭部３８に、超音波を５〜１５分間程度作用せしめることにより、被施術者３４は超音波振動による刺激をあまり感じないものの、超音波振動によるマッサージ作用が頭皮に確実に与えられて、細胞の温度が上昇し、血液やリンパの流れが促進され、頭皮の血行や新陳代謝等が改善され得るようになると共に、超音波による洗浄作用により、頭皮の表面や毛穴に付着した余分な皮脂汚れ等が浮き上がって、簡単に取り除かれるようになるのである。その結果、かかる洗髪台用ヘッドレスト１０のヘッドレスト部１６上に被施術者３４の頭部３８を載せるだけで、頭髪の脱毛が有利に抑制され得るようになると共に、発毛も促進され得るようになるのである。
【００２９】
加えて、超音波の作用によって期待される公知の各種の効果、例えば、超音波振動による波動エネルギーが、脳にダイレクトに伝達されることによって、脳細胞が活性化せしめられるといった効果、更には、免疫力アップや記憶力アップ、アンチエイジング効果、α波・θ波の発生、リラックス効果、癒し効果等の種々の優れた効果等を享受し得ることも期待することができる。
【００３０】
ところで、上述せる如き超音波による効果は、被施術者３４の頭部３８を、超音波振動が伝達された洗髪台用ヘッドレスト１０のヘッドレスト部１６に載せるだけでも得られるのであるが、超音波による効果をより一層有利に得るには、頭部３８を、水（湯）やシャンプー、発毛育成トニック、ジェル等の液体やそのフォームで濡らした状態で載せることが望ましく、これにて、空気中では伝播し難い超音波振動が、被施術者３４の頭部３８により一層効果的且つ確実に伝達され得るようになる。
【００３１】
従って、この洗髪台用ヘッドレスト１０を用いて、被施術者３４の頭部３８に超音波振動を伝達せしめつつ、それと同時に、シャンプーやすすぎ、トリートメント等の洗髪やヘアケア等を施すようにすれば、超音波が極めて効果的に作用せしめられると共に、洗髪者の手指による洗浄効果やマッサージ（指圧）効果も相俟って、頭皮の汚れが格別顕著に取り除かれると共に、頭皮の血行や新陳代謝も極めて有利に高められるのである。また、超音波振動は、洗髪台用ヘッドレスト１０のヘッドレスト部１６を介して伝達されるため、従来のように超音波プローブを把持する必要がなく、両手で洗髪を行うことができ、洗髪作業が楽になるといった利益も得られる。
【００３２】
また、本実施形態に係る洗髪台用ヘッドレスト１０にあっては、洗髪台のシャンプーボール１８に取り付けた状態下において、図２に示されるように、ヘッドレスト部１６とシャンプーボール１８の手前側の縁部３０との間に、空隙３２が形成されていると共に、ヘッドレスト部１６と取付部２０ａ，２０ｂとの間にも、間隙２８ａ，２８ｂが形成されているところから、被施術者３４の頭部３８をヘッドレスト部１６に載せた状態で洗髪を行っても、水乃至はお湯が、かかる空隙３２及び間隙２８ａ，２８ｂから有利に流れ落ちるようになっている。このため、洗髪時に、水乃至はお湯が、シャンプーボール１８の外に漏れ出るようなことが有利に防止され得るようになっているのである。
【００３３】
しかも、本実施形態に係る洗髪台用ヘッドレスト１０を使用すれば、被施術者３４の頭部３８は、洗髪台用ヘッドレスト１０のヘッドレスト部１６で支えられるため、従来の洗髪台のように、被施術者３４の首に負荷乃至は負担がかかるようなことも有利に解消され得るのである。このため、頸椎の安全性が確保され得ると共に、被施術者３４は、より一層リラックスした状態で、リクライニングシート３６に横たわって、超音波振動を受けることができ、また、洗髪やヘアケア等も行われるのである。
【００３４】
以上、本発明の具体的な構成について詳述してきたが、これはあくまでも例示に過ぎないのであって、本発明は、上記の記載によって、何等の制約を受けるものではない。
【００３７】
また、洗髪台用ヘッドレスト１０を構成する金属プレート１２として、多数の孔が形成された金属板を採用することも可能であり、そのような金属プレートを採用することによって、洗髪時の排水性能をより一層高めることが可能となる。
【００３８】
さらに、上例では、ヘッドレスト部１６の両側に設けられた取付部２０ａ，２０ｂが、洗髪台のシャンプーボール１８の対向する縁部に載置されることによって、洗髪台用ヘッドレスト１０が洗髪台のシャンプーボール１８に取り付けられるようになっていたが、取付部を、洗髪台のシャンプーボール１８の縁部に嵌合する形状にプレス加工して、かかる取付部を、シャンプーボール１８の縁部に嵌合し、固定的に取り付けるようにすることも可能である。
【００４２】
加えて、上例では、超音波発振装置１４として、内蔵電池式のものが採用されていたが、防水性が十分に確保されておれば、外部電源に接続するタイプのものを使用することも、勿論可能である。
【００４３】
その他、一々列挙はしないが、本発明は、当業者の知識に基づいて種々なる変更、修正、改良等を加えた態様において実施され得るものであり、また、そのような実施態様が、本発明の趣旨を逸脱しない限り、何れも、本発明の範囲内に含まれるものであることは、言うまでもないところである。
【図面の簡単な説明】
【００４４】
【図１】本発明に従う洗髪台用ヘッドレストの一実施形態を示す平面説明図である。
【図２】図１に示される洗髪台用ヘッドレストをシャンプーボールに設置した状態を示す平面説明図である。
【図３】図２における右側面説明図である。
【図４】図２におけるIV−IV断面説明図である。
【図５】本発明に従う洗髪台用ヘッドレストの使用状態を説明するための図であって、被施術者の頭部が載せられた状態を示す平面説明図である。
【図６】図５におけるVI−VI断面説明図である。
【図７】従来の洗髪台の使用状態を説明するための縦断面説明図である。
【符号の説明】
【００４５】
１０  洗髪台用ヘッドレスト            １２  金属プレート
１４  超音波発振装置                  １６  ヘッドレスト部
１８  洗髪台のシャンプーボール        ２０ａ，２０ｂ  取付部
２２ａ，２２ｂ  段付部                ２４  上部突出部
２６ａ，２６ｂ  連結部                ２８ａ，２８ｂ  間隙
３０  縁部                            ３２  空隙
３４  被施術者                        ３６  リクライニングシート
３８  頭部
【図１】
0005148195.tif 000002
【図２】
0005148195.tif 000003
【図３】
0005148195.tif 000004
【図４】
0005148195.tif 000005
【図５】
0005148195.tif 000006
【図６】
0005148195.tif 000007
【図７】
0005148195.tif 000008